(57)【要約】【課題】電気機器を小型化する。【解決手段】二枚の回路基板１４０は、互いに向かい合って配置されている。回路基板１４０は、電気回路を実装している。電池収納部１７１は、二枚の回路基板１４０の間に位置する。電池３００（を収納した電池ケース１２０）は、電池収納部１７１に収納される。これにより、本体部１００の高さを、電池３００の高さとほぼ同じ程度にまで低くすることができるので、電気機器の大きさを小さくすることができる。【選択図】図３
2010182432.tif 000002
【特許請求の範囲】
【請求項１】
向かい合って配置され、電気回路を実装した複数の回路基板と、
上記複数の回路基板の間に位置し、電池を収納する電池収納部とを有することを特徴とする電気機器。
【請求項２】
上記電気機器は、更に、
上記電池収納部の内側から操作可能であり、上記電気機器を建造物に着脱自在に取り付ける取付部を有することを特徴とする請求項１に記載の電気機器。
【請求項３】
上記電気機器は、更に、
略中空容器状で、上記複数の回路基板と上記電池収納部とを内蔵する機器本体と、
電源からの電力を入力する配線を接続可能な電源端子台と、
上記電源端子台を上記機器本体の外側に保持する端子台保持部とを有することを特徴とする請求項１または請求項２に記載の電気機器。
【請求項４】
略板状で、電子部品を実装した実装面と、上記電子部品を接続する配線が印刷された半田面とを有し、上記半田面が所定の間隔で互いに向かい合った状態で、略平行に配置された二枚の回路基板と、
略中空円筒状で、上記二枚の回路基板を内蔵し、一方の底面に開口した底面開口部を有する機器本体と、
上記二枚の回路基板に挟まれた間に位置し、上記底面開口部から電池を挿入可能であり、挿入した電池を着脱自在に保持する電池収納部とを有することを特徴とする電気機器。
【請求項５】
上記機器本体は、上記二枚の回路基板の間に相当する側面の互いに向かい合った二つの位置にそれぞれ設けられた二つの側面開口部を有し、
上記電気機器は、更に、
上記二つの側面開口部それぞれに着脱自在に固定され、上記電池収納部の内側から操作可能であり、上記機器本体を建造物に着脱自在に取り付ける二つの取付部を有することを特徴とする請求項４に記載の電気機器。
【請求項６】
上記機器本体は、上記底面開口部を有する底面と向かい合った底面に、所定形状の本体嵌合部を有し、
上記電気機器は、更に、
電源からの電力を入力する配線を接続可能な電源端子台と、
略長尺板状で、一方の端に、上記電源端子台を固定する端子台固定部を有し、他方の端に、上記本体嵌合部に着脱自在に嵌合する形状の保持嵌合部を有する端子台保持部とを有することを特徴とする請求項４または請求項５に記載の電気機器。
【請求項７】
上記電気機器は、更に、
上記回路基板と上記電池収納部との間を隔てるとともに、上記保持嵌合部の移動を制限して上記本体嵌合部と上記保持嵌合部との嵌合が解除するのを防ぐ隔壁部を有することを特徴とする請求項６に記載の電気機器。
【発明の詳細な説明】
【技術分野】
【０００１】
この発明は、照明器具など、建造物に取り付けて使用する電気機器に関する。
【背景技術】
【０００２】
建造物に取り付けて使用する電気機器には、天井などの取付け面に穴を開けて埋め込む形態のものと、取付け面の外側に露出する形態のものとがある。
いずれの形態においても、製造コスト、取り付けの作業性、見栄えなどの観点から、電気機器を小型化したいという要請が強い。
【先行技術文献】
【特許文献】
【０００３】
【特許文献１】特開２００３−１００１０６号公報
【特許文献２】特開２００４−１８５８４２号公報
【発明の概要】
【発明が解決しようとする課題】
【０００４】
電気機器の大きさを決定する要因には様々なものがあるが、電池や電気部品を実装した回路基板などの大きさがボトルネックとなる場合がある。近年、電池の小型化や、効率の向上による電池本数の削減などにより、電池が電気機器の大きさに占める割合は、減少する傾向にある。
この発明は、例えば、上記のような課題を解決するためになされたものであり、電気機器を小型化することを目的とする。
【課題を解決するための手段】
【０００５】
この発明にかかる電気機器は、互いに向かい合って配置され、電気回路を実装した複数の回路基板と、上記複数の回路基板の間に位置し、電池を収納する電池収納部とを有することを特徴とする。
【発明の効果】
【０００６】
この発明にかかる電気機器によれば、複数の回路基板の間に電池収納部を有するので、回路基板一枚の大きさを小さくすることができ、機器本体の高さを低くすることができるので、電気機器を小型化することができる。
【図面の簡単な説明】
【０００７】
【図１】実施の形態１における照明器具８００の外観を示す斜視図。
【図２】実施の形態１における本体部１００及び枠部２００を更に分解したところを示す斜視図。
【図３】実施の形態１における本体部１００の内部空間が回路基板ケース１３０によって分割される様子を示す平面視端面図。
【図４】実施の形態１における機器本体１１０を示す平面図及びＡ−Ａ端面図（一部）である。
【図５】実施の形態１における本体取り付けバネ１８０を示す正視図。
【図６】実施の形態１における機器本体１１０を示す正面図及びＢ−Ｂ端面図（一部）及び破断背面図。
【図７】実施の形態１における電池ケース１２０を示す正視図及び回路基板ケース１３０を示す底面図。
【図８】実施の形態２における照明器具８００を示す斜視図。
【図９】実施の形態２における照明器具８００の内部を示す分解斜視図。
【発明を実施するための形態】
【０００８】
実施の形態１．
実施の形態１について、図１〜図７を用いて説明する。
【０００９】
図１は、この実施の形態における照明器具８００の外観を示す斜視図である。
照明器具８００（電気機器）は、天井（建造物）などの取付け面に穴を空けて埋め込んだ状態で使用する。照明器具８００は、商用電源などの交流電源から電力を入力し、入力した電力により、ＬＥＤなどの光源を点灯するとともに、内蔵した電池を充電する。停電時などにおいて、照明器具８００は、内蔵した電池に充電された電力で、光源を点灯する。
【００１０】
照明器具８００は、本体部１００、枠部２００を有する。
本体部１００は、取付け面に埋め込まれる部分であり、概ね円柱状の形状である。
枠部２００は、取付け面から外側に露出する部分であり、概ね円盤状の形状である。
枠部２００は、二つの枠取付けバネ２１０により、本体部１００に取り付けられる。枠部２００は、枠部２００全体を掴んで下に引っ張り、枠取付けバネ２１０を変形することにより、容易に本体部１００から取り外すことができる。
本体部１００は、機器本体１１０、電池ケース１２０、回路基板ケース１３０、二つの回路基板１４０（図２参照）、二つの本体取り付けバネ１８０、端子台１９０を有する。
機器本体１１０は、回路基板１４０などを囲うケースであり、中空の概ね円筒状の形状であり、下側の底面が開口している（底面開口部）。
電池ケース１２０は、電池３００を収納するケースであり、嵌合部１２１を回路基板ケース１３０に噛み合わせることにより、機器本体１１０に取り付けられている。電池ケース１２０は、機器本体１１０から取り外すことができる。
回路基板ケース１３０は、概ね几字状に曲がった板であり、回路基板１４０が露出しないように覆っている。
回路基板１４０は、電池３００を充電する充電回路や、光源を点灯する点灯回路などの電気回路が実装されたプリント配線板である。
本体取り付けバネ１８０（取付部）は、機器本体１１０を取付け面に固定するための部分である。二つの本体取り付けバネ１８０は、機器本体１１０の外側の互いに対称な位置に取り付けられる。
端子台１９０（電源端子台）は、交流電源から電力を入力するための配線を接続する部分であり、端子台取付け金具１９５（端子台保持部）により、機器本体１１０の外側に保持されている。
【００１１】
図２は、この実施の形態における本体部１００及び枠部２００を更に分解したところを示す斜視図である。
機器本体１１０（周枠部）は、四つの枠取付け開口部１１１、四つの枠取付け凸部１１２、二つの本体取付け開口部１１３、二つの取り付けバネ当接部１１４、鍔部１１５、二つの基板ケース係止爪部１１６、配線開口部１１７、引っ掛け溝部１１８（図４参照）を有する。
なお、この図において、機器本体１１０の中心軸から見て、本体取付け開口部１１３の一つがある方向をＸ方向、配線開口部１１７がある方向をＹ方向、機器本体１１０の高さ方向をＺ方向と呼ぶ。
【００１２】
枠取付け開口部１１１（枠取付受部）は、枠取付けバネ２１０を通すための穴であり、概ね長方形の形状であって、長方形の長辺方向がＺ方向と一致している。枠取付け開口部１１１から枠取付けバネ２１０の先を機器本体１１０の外に出すことにより、機器本体１１０を小さくすることができる。
枠取付け凸部１１２（凸部）は、枠取付け開口部１１１の下側の辺から、機器本体１１０の内側に向かって、ＸＹ平面とほぼ平行な方向に折れ曲がった板状の部分である。枠取付け凸部１１２は、Ｘ方向とほぼ一致する辺と、Ｙ方向とほぼ一致する辺とを有し、概ね三角形もしくは台形の形状である。枠取付け凸部１１２は、Ｘ方向と平行な辺が枠取付けバネ２１０と当接し、向かい合った二つの枠取付け凸部１１２が左右から枠取付けバネ２１０を挟む形となる。このように、枠取付けバネ２１０と枠取付け凸部１１２とが嵌合することにより、機器本体１１０に枠部２００を固定する。
本体取付け開口部１１３（側面開口部）は、本体取り付けバネ１８０を取り付けるために、二つの枠取付け開口部１１１に挟まれた間の位置に設けられた穴であり、略Ｔ字状の形状である。本体取付け開口部１１３は、Ｚ方向に細長く、一番上の端の部分が、幅が広くなっていて、ここから本体取り付けバネ１８０を挿入することにより、本体取り付けバネ１８０を取り付ける。
取り付けバネ当接部１１４は、機器本体１１０の円筒状側面の一部を潰して平らにしたような形状であり、本体取付け開口部１１３の周囲の本体取り付けバネ１８０と当接する部分に設けられている。
鍔部１１５は、機器本体１１０の円筒の下端を外側に折り曲げたような形状で、底面開口部の周囲に設けられたドーナツ板状の部分である。鍔部１１５は、本体部１００を取付け面に取り付けたとき、ストッパーの役割を果たす。
基板ケース係止爪部１１６は、機器本体１１０の円筒状側面の内側に設けられた突起である。基板ケース係止爪部１１６は、機器本体１１０の下端に近い位置、Ｙ方向及びその反対方向に、それぞれ設けられている。基板ケース係止爪部１１６は、回路基板ケース１３０を引っ掛けて止める役割を果たす。
配線開口部１１７は、端子台１９０からの配線を、機器本体１１０の内部で引き込むため、機器本体１１０の円筒上端と上底面との境付近に設けられた穴である。
引っ掛け溝部１１８（本体嵌合部）は、端子台取付け金具１９５を取り付けるため、機器本体１１０の上底面（天面）に設けられた穴である。
【００１３】
回路基板ケース１３０は、一枚の板を折り曲げた形状であり、頂部１３１、二つの側部１３２、四つの側縁曲部１３３、二つの底部１３４を有する。
頂部１３１は、概ね長方形の形状で、ＸＹ平面とほぼ平行であり、長辺がＸ方向とほぼ一致し、機器本体１１０の内径とほぼ等しい長さを有する。
側部１３２は、頂部１３１の長辺から先をほぼ直角に下方向に向かって折り曲げた概ね長方形の形状であり、ＸＺ平面とほぼ平行である。
側縁曲部１３３は、側部１３２のＺ方向とほぼ一致する辺から先をほぼ直角に外側に向かって折り曲げた形状であり、ＹＺ平面とほぼ平行である。
底部１３４は、側部１３２の下側の辺から先をほぼ直角に外側に折り曲げた形状であり、二つの底部１３４が全体として、概ね円状をなし、その径は、機器本体１１０の内径とほぼ一致する。二つの底部１３４は、それぞれ嵌合穴１３５を有する。嵌合穴１３５は、電池ケース１２０の嵌合部１２１と噛み合わされる部分である。
なお、回路基板ケース１３０は、回路基板１４０それぞれを覆う部分ごとに分割された、二枚の板からなる構成であってもよい。その場合、分割されたそれぞれの回路基板ケース１３０は、例えば、断面Ｌ字状の形状となる。
【００１４】
回路基板１４０は、電子部品を実装する実装面と、実装面に実装された電子部品間を接続する配線などが印刷された半田面とを有する。二枚の回路基板１４０は、半田面の側を内側に向け、互いに向かい合った状態となり、ほぼ垂直になるよう配置される。これにより、回路基板１４０の実装面の側には、機器本体１１０に囲まれた蒲鉾状の空間があるので、高さが比較的高い電子部品を実装する空間が確保できる。また、二枚の回路基板１４０に電気回路を分散し、例えば、充放電回路と、点灯回路とを分けることにより、一枚の回路基板１４０を小さくできるので、照明器具８００全体の大きさを小型化することができる。
回路基板１４０には、電子部品のほか、例えば、点検スイッチ１４１なども実装される。点検スイッチ１４１は、停電時などに照明器具８００が正しく点灯することを確認するため、平常時に点灯試験を行うためのスイッチである。
【００１５】
端子台取付け金具１９５（電源端子台取付部）は、一枚の板をＬ字状に折り曲げた形状であり、引っ掛け部１９６、二つのスリット部１９７、固定部１９８を有する。
固定部１９８（端子台固定部、取付面）は、端子台取付け金具１９５の主たる部分であり、少し細長い概ね長方形の板状の形状である。固定部１９８は、一方の端近くに、端子台１９０を取り付ける。例えば、端子台１９０の取付爪を、固定部１９８に設けた取付穴に挿入して、固定部１９８に端子台１９０を固定する。
引っ掛け部１９６（保持嵌合部）は、固定部１９８の他方の端から先をほぼ直角に、端子台１９０を取り付ける側の方向に折り曲げた概ね長方形の形状である。スリット部１９７は、引っ掛け部１９６と固定部１９８とが接合する折り曲げ部分の両側に位置するスリットである。端子台取付け金具１９５は、スリット部１９７により、折り曲げ部分の幅が他の部分よりも狭くなっている。
【００１６】
枠部２００は、二つの枠取付けバネ２１０、枠２２０、カバー２３０、カバーパッキン２４０、二つの補助反射板２５０、反射体２６０、光源基板２７０を有する。
光源基板２７０は、複数（この例では四つ）の光源２７１（例えばＬＥＤ）や、光源２７１を点灯するための回路を実装した回路基板であり、概ね円盤状である。光源２７１は、例えば、光源基板２７０の中心からほぼ等距離の位置にほぼ等間隔に配置されている。光源基板２７０は、金属基板など放熱性のよい基板であることが好ましい。光源２７１で発生した熱は、光源基板２７０を介して、枠２２０に伝導し、照明器具８００の外部に放射される。
反射体２６０は、二つの爪部２６１、円盤部２６３を有する。円盤部２６３は、概ね円盤状の形状である。円盤部２６３は、光源２７１の数と同じ数の光源開口部２６２を有する。光源開口部２６２は、光源２７１が中心に位置するように設けられた穴であり、その内壁は、光を反射し、所望の配光が得られるような曲面をなしている。爪部２６１は、枠部２００を本体部１００に取り付けたとき、円盤部２６３に対してＸ方向及びその反対方向にくる位置に設けられ、下向きに折れ曲がった鉤状（Ｌ字状）の形状である。
補助反射板２５０は、一部の光源２７１の正面に設けられ、概ね円錐状であり、円錐の頂点が光源２７１の方向を向いていて、円錐の側面が光を反射する。補助反射板２５０は、反射体２６０だけでは得られない配光を得るために設けられるものであり、特に、ＸＹ平面に近い方向の配光を強くするためのものである。
カバーパッキン２４０は、ゴムなどで形成されたリング状のパッキンである。カバー２３０は、透明あるいは半透明の樹脂やガラスなどで形成された円盤状の透光板であり、光源を覆う。枠２２０は、枠部２００のなかでも一番外側に露出する部分であり、概ねドーナツ板状の形状である。
枠取付けバネ２１０は、細長い棒状の金属を概ねＶ字状に折り曲げた形状のバネである。枠取付けバネ２１０は、輪部２１１、二つの腕部２１２、二つの先端部２１３を有する。輪部２１１は、所定の径で数回ループした形状であり、枠取付けバネ２１０の弾性力を発揮する部分である。腕部２１２は、輪部２１１から斜め上方向に伸びる部分であり、本体部１００に取り付けた際、枠取付け凸部１１２と当接する部分である。先端部２１３は、先端を折り曲げて引っ掛かる形状にしたものであり、枠部２００を本体部１００から外す際、枠取付け凸部１１２に引っ掛かることにより、枠部２００の落下を防ぐ外れ留めの役割を果たす。枠取付けバネ２１０は、輪部２１１を爪部２６１に引っ掛けることにより、枠部２００に取り付けられる。
なお、枠取付けバネ２１０は、板バネにより形成される構成であってもよい。
【００１７】
図３は、この実施の形態における本体部１００の内部空間が回路基板ケース１３０によって分割される様子を示す平面視端面図である。
回路基板ケース１３０により、機器本体１１０の内部の空間は、電池収納部１７１と、二つの基板収納部１７２との合計三つの空間に分割される。電池収納部１７１は、頂部１３１及び二つの側部１３２に囲まれた中央の部分であり、電池３００を収納した電池ケース１２０などを収納する。二つの基板収納部１７２は、側部１３２及び二つの側縁曲部１３３及び底部１３４に囲まれた左右それぞれの部分であり、回路基板１４０などを収納する。
本体取り付けバネ１８０は、一部が電池収納部１７１に収納され、残りの部分が本体取付け開口部１１３から機器本体１１０の外に出る位置に取り付けられる。枠取付けバネ２１０は、輪部２１１と腕部２１２の一部とが電池収納部１７１に収納され、腕部２１２の残りと先端部２１３とが枠取付け開口部１１１から機器本体１１０の外に出る位置に取り付けられる。
【００１８】
図４は、この実施の形態における機器本体１１０を示す平面図及びＡ−Ａ端面図（一部）である。
引っ掛け溝部１１８は、概ねＴ字状の形状の穴である。引っ掛け溝部１１８の幅Ｗ１は、端子台取付け金具１９５のスリット部１９７により幅が狭くなっている折り曲げ部分が通り、引っ掛け部１９６は通らない長さである。引っ掛け溝部１１８の幅Ｗ２は、引っ掛け部１９６が通る長さである。
【００１９】
端子台取付け金具１９５は、以下のようにして、機器本体１１０に取り付ける。
まず、引っ掛け部１９６を引っ掛け溝部１１８の幅Ｗ２の部分に差し込み、幅Ｗ１の部分に引っ掛ける。次に、機器本体１１０に回路基板ケース１３０を取り付ける。これにより、側部１３２が引っ掛け溝部１１８の一部を塞ぎ、引っ掛け部１９６が引っ掛け溝部１１８から外れるのを防ぐ。この状態において、端子台取付け金具１９５は、折り曲げ部分を軸（支点）として、上にほぼ９０度まで回転することができるので、端子台１９０に電源からの配線を接続する際の作業性が良い。
また、端子台１９０が機器本体１１０の外側に配置されているので、機器本体１１０を小型化することができる。
【００２０】
図５は、この実施の形態における本体取り付けバネ１８０を示す正視図である。
本体取り付けバネ１８０（取付具）は、一枚の板を折り曲げた形状の板バネであり、中央接続部１８１、下端舌部１８２、二つの開口挿入部１８３、二つの押さえ爪部１８４、二つの裏面押さえ部１８５、二つの翼部１８６、二つの上端舌部１８７を有する。本体取り付けバネ１８０は、上端舌部１８７を除き、左右ほぼ対称な形状である。
中央接続部１８１は、概ね長方形状である。下端舌部１８２は、中央接続部１８１の下側の辺から先を奥の方へ約９０度折り曲げた形をしている。開口挿入部１８３は、中央接続部１８１の左右の辺から先を下端舌部１８２と同じ奥の方へ約９０度折り曲げた形をしている。二つの開口挿入部１８３は、互いにほぼ平行である。押さえ爪部１８４は、開口挿入部１８３の斜め上側の辺から先を外の方へ約９０度折り曲げた形であり、牛の角のような形状である。二つの押さえ爪部１８４は、ほぼ同じ平面上にある。裏面押さえ部１８５は、開口挿入部１８３の奥側の辺から先を外の方へ約９０度折り曲げた形をしている。二つの裏面押さえ部１８５は、ほぼ同じ平面上にある。翼部１８６は、裏面押さえ部１８５の外側の辺から先を奥の方へ約９０度折り曲げた形をしている。二つの翼部１８６は、互いにほぼ平行である。上端舌部１８７は、翼部１８６の上側の辺から先を内の方へ約９０度折り曲げた形をしている。二つの上端舌部１８７は、互いにほぼ平行であり、先端が重なっている。
【００２１】
図６は、この実施の形態における機器本体１１０を示す正面図及びＢ−Ｂ端面図（一部）及び破断背面図である。
本体取付け開口部１１３の上端付近の幅Ｗ３は、本体取り付けバネ１８０の二つの翼部１８６間の長さより長く、本体取り付けバネ１８０の先端を、機器本体１１０の外から内へ挿入することができる。本体取付け開口部１１３の下側の幅Ｗ４は、本体取り付けバネ１８０の中央接続部１８１の幅よりもわずかに狭く、本体取り付けバネ１８０の先端を挿入すると、本体取り付けバネ１８０がわずかに変形し、板バネの応力で本体取り付けバネ１８０が固定される。
本体取り付けバネ１８０の開口挿入部１８３の下端と、機器本体１１０の鍔部１１５との間に取付け面を挟み込む位置に、本体取り付けバネ１８０を固定する。このとき、本体取り付けバネ１８０の押さえ爪部１８４と、裏面押さえ部１８５との間に、機器本体１１０の取り付けバネ当接部１１４が挟まれている。機器本体１１０が下方向に動こうとすると、押さえ爪部１８４を下に曲げようとする力が働くので、押さえ爪部１８４と裏面押さえ部１８５との間隔が狭くなり、取り付けバネ当接部１１４を強く挟み込み、機器本体１１０が動くのを防ぐ。
【００２２】
本体取り付けバネ１８０が取り付けられる位置は、枠取付けバネ２１０の輪部２１１の上、二つの腕部２１２の間の位置になる。したがって、本体取り付けバネ１８０と枠取付けバネ２１０とは干渉せず、機器本体１１０内の空間を有効に利用できる。これにより、機器本体１１０を小型化することができる。
【００２３】
図７は、この実施の形態における電池ケース１２０を示す正視図及び回路基板ケース１３０を示す底面図である。
電池ケース１２０の二つの嵌合部１２１は、それぞれ、上側押さえ部１２２、突起部１２３、二つの下側押さえ部１２４を有する。上側押さえ部１２２（上側の爪）は上側中央、二つの下側押さえ部１２４（下側の爪）は下側左右に位置し、段違いになっている間に回路基板ケース１３０の底部１３４を挟むことができる。突起部１２３は、上側押さえ部１２２の下側から突出した概ね円柱状の突起である。
【００２４】
回路基板ケース１３０の二つの嵌合穴１３５は、それぞれ、挿入部１３６、保持部１３７、突起係合部１３８を有する。挿入部１３６（幅広部）は、比較的幅広な概ね長方形状の開口であり、下側から上側押さえ部１２２を挿入できる。保持部１３７（幅狭部）は、挿入部１３６の横に設けられた概ね長方形状の比較的幅狭な開口である。挿入部１３６から上側押さえ部１２２を挿入したのち、電池ケース１２０全体を横にずらすことにより、上側押さえ部１２２が保持部１３７に嵌まり、電池ケース１２０が下方向へ移動するのを防ぐ。突起係合部１３８（溝）は、保持部１３７に隣接する概ね半円状の開口であり、突起部１２３が嵌まり込むことにより、電池ケース１２０が横方向に移動するのを防ぐ。
これにより、電池ケース１２０の取り付け取り外しが容易になる。
【００２５】
この実施の形態における電気機器（照明器具８００）は、複数の回路基板１４０の間に電池収納部１７１を有するので、機器本体１１０の高さを低くすることができ、電気機器を小型化することができる。
また、電池ケース１２０を取り外すことにより、取付部（本体取り付けバネ１８０）を電池収納部１７１の内側から操作することができ、建造物（取付け面）への取付けが容易にできる。
また、電源端子台（端子台１９０）を端子台保持部（端子台取付け金具１９５）により、機器本体１１０の外側に保持するので、機器本体１１０の高さを低くすることができる。
また、二枚の回路基板１４０の間に、底面開口部から電池３００を挿入可能な電池収納部を有するので、電池３００の付け外しが容易にできる。
また、機器本体１１０の側面に側面開口部（本体取付け開口部１１３）を設け、取付部（本体取り付けバネ１８０）を取り付けるので、取付部が操作しやすく、建造物（取付け面）に設けられた埋め込み穴への取付けが容易である。
また、機器本体１１０の上面に本体嵌合部（引っ掛け溝部１１８）を有し、端子台保持部（端子台取付け金具１９５）の保持嵌合部（引っ掛け部１９６）と嵌合して、端子台１９０を保持するので、端子台１９０への配線が容易にできる。
また、電池ケース１２０を横方向にスライドして回路基板ケース１３０に固定するので、電池３００の重みで電池ケース１２０が落下するのを防ぐことができ、電池３００の交換が容易である。
また、枠取付け凸部１１２が、枠取付けバネ２１０を案内するので、枠部２００の取付けが容易である。枠取付け凸部１１２には、枠取付け開口部１１１から埃が進入するのを防ぐ効果もある。
【００２６】
実施の形態２．
実施の形態２について、図８〜図９を用いて説明する。
【００２７】
図８は、この実施の形態における照明器具８００を示す斜視図である。
照明器具８００（電気機器）は、天井（建造物）などの取付け面の表面に直接取り付けた状態で使用する。
【００２８】
図９は、この実施の形態における照明器具８００の内部を示す分解斜視図である。
照明器具８００は、本体部１００、枠部２００を有する。
本体部１００は、機器本体１１０、二つの回路基板ケース１３０、二枚の回路基板１４０（図示せず）、端子台１９０を有する。
機器本体１１０は、二つの本体取付け開口部１１３（一つは電池３００に隠れている）を有する。本体取付け開口部１１３は、鍵穴状の開口であり、取付け面に取り付けられた金具を本体取付け開口部１１３に引っ掛けることにより、機器本体１１０を取付け面に取り付ける。
二つの回路基板ケース１３０は、それぞれ、一枚の板を折り曲げた形状であり、機器本体１１０に固定されている。
二枚の回路基板１４０は、それぞれ、回路基板ケース１３０の中に配置されている。
端子台１９０は、二つの回路基板ケース１３０の間の空間（電池収納部）に配置され、機器本体１１０に固定されている。
電池３００は、電池収納部に収納される。この例では、電池３００は、機器本体１１０の電池収納部に直接収納される構成であるが、実施の形態１と同様、電池３００を収納した電池ケースが、機器本体１１０の電池収納部に収納される構成であってもよい。また、この例では、電池３００は、電池収納部に横向きに収納である構成であるが、実施の形態１と同様、縦向きに収納される構成であってもよい。照明器具８００が取付け面の表面に直接取り付ける構成である場合、電池３００を横向きにして、機器本体１１０の電池収納部に直接収納される構成のほうが、照明器具８００の厚さを抑えることができ、好ましい。
【００２９】
このような構成の場合も、実施の形態１と同様、回路基板１４０が二枚に分割され、電池３００を収納する電池収納部の左右両側に配置されているので、本体部１００を小型化することができる。
また、本体部１００を取付け面に取り付ける際は、電池３００を外した状態とすれば、電池収納部から本体取付け開口部１１３が見えるので、取付けが容易である。
【符号の説明】
【００３０】
１００  本体部、１１０  機器本体、１１１  枠取付け開口部、１１２  枠取付け凸部、１１３  本体取付け開口部、１１４  取り付けバネ当接部、１１５  鍔部、１１６  基板ケース係止爪部、１１７  配線開口部、１１８  引っ掛け溝部、１２０  電池ケース、１２１  嵌合部、１２２  上側押さえ部、１２３  突起部、１２４  下側押さえ部、１３０  回路基板ケース、１３１  頂部、１３２  側部、１３３  側縁曲部、１３４  底部、１３５  嵌合穴、１３６  挿入部、１３７  保持部、１３８  突起係合部、１４０  回路基板、１４１  点検スイッチ、１７１  電池収納部、１７２  基板収納部、１８０  本体取り付けバネ、１８１  中央接続部、１８２  下端舌部、１８３  開口挿入部、１８４  押さえ爪部、１８５  裏面押さえ部、１８６  翼部、１８７  上端舌部、１９０  端子台、１９５  端子台取付け金具、１９６  引っ掛け部、１９７  スリット部、１９８  固定部、２００  枠部、２１０  枠取付けバネ、２１１  輪部、２１２  腕部、２１３  先端部、２２０  枠、２３０  カバー、２４０  カバーパッキン、２５０  補助反射板、２６０  反射体、２６１  爪部、２６２  光源開口部、２６３  円盤部、２７０  光源基板、２７１  光源、３００  電池、８００  照明器具。
【図１】
2010182432.tif 000003
【図２】
2010182432.tif 000004
【図３】
2010182432.tif 000005
【図４】
2010182432.tif 000006
【図５】
2010182432.tif 000007
【図６】
2010182432.tif 000008
【図７】
2010182432.tif 000009
【図８】
2010182432.tif 000010
【図９】
2010182432.tif 000011